(57)【要約】  【課題】  入力信号の振幅の変化に対応することが可能なフィードバック回路を有する信号変換回路ならびにそれを用いた増幅回路ならびにそれを用いた送信装置および通信装置を提供する。  【解決手段】  第１の可変利得増幅器７を少なくとも有しており、入力された第１信号Ｓ１の振幅および位相を変化させた第２信号Ｓ２を出力する第１回路１５と、第１信号Ｓ１および第２信号Ｓ２が入力されて、第３信号Ｓ３と、第３信号Ｓ３の振幅の変化に応じて値が変化する第４信号Ｓ４とを出力する第２回路１６と、第４信号Ｓ４が入力されて、第４信号Ｓ４の時間に対する変化率よりも時間に対する変化率が大きい信号であるとともに、第１の可変利得増幅器７の利得を制御するための信号である第５信号Ｓ５を出力する第３回路２０とを少なくとも有する信号変換回路３０とする。入力信号の振幅の変化に対応することが可能な信号変換回路が得られる。【選択図】  図１
2013012838.tif 000002
【特許請求の範囲】
【請求項１】
第１の可変利得増幅器を少なくとも有しており、入力された第１信号の振幅および位相を変化させた第２信号を出力する第１回路と、
前記第１信号および前記第２信号が入力されて、第３信号と、該第３信号の振幅の変化に応じて値が変化する第４信号とを出力する第２回路と、
前記第４信号が入力されて、前記第４信号の時間に対する変化率よりも時間に対する変化率が大きい信号であるとともに、前記第１の可変利得増幅器の利得を制御するための信号である第５信号を出力する第３回路とを少なくとも有することを特徴とする信号変換回路。
【請求項２】
前記第３回路は、入力端子および制御端子の両方に前記第４信号が入力されて、出力端子から前記第５信号を出力する第２の可変利得増幅器を少なくとも有することを特徴とする請求項１に記載の信号変換回路。
【請求項３】
前記第３回路は、前記第１信号および前記第４信号が入力されて、前記第１信号の時間に対する変化率と前記第４信号の時間に対する変化率とを比較する比較回路をさらに有することを特徴とする請求項２に記載の信号変換回路。
【請求項４】
前記第３回路は、前記比較回路からの情報に基づいて、前記第１信号の時間に対する変化率が、前記第４信号の時間に対する変化率よりも大きいときに、前記第２の可変利得増幅器の前記制御端子に入力される信号を、前記第１信号を微分検波して２乗して９０°位相をずらした信号によって前記第４信号を除算して得られる第６信号に切り替えるスイッチ回路をさらに有することを特徴とする請求項３に記載の信号変換回路。
【請求項５】
前記第１回路は、前記第１信号の振幅の増減と逆に増減する振幅を有するとともに前記第１信号よりも９０°だけ位相が進んでいる前記第２信号と、該第２信号と同じ振幅を有するとともに、前記第１信号よりも９０°だけ位相が遅れている第７信号とを出力し、
前記第２回路は、前記第１信号，前記第２信号および前記第７信号が入力されて、略一定の振幅を有するとともに前記第１信号の振幅に応じて互いの位相差が変化する一対の信号である、前記第３信号と第８信号とを出力することを特徴とする請求項１に記載の信号変換回路。
【請求項６】
請求項５に記載の信号変換回路と、前記第３信号および前記第８信号が入力されて、前記第１信号を増幅した信号と等価である第９信号を出力する第４回路とを少なくとも有することを特徴とする増幅回路。
【請求項７】
送信回路と、請求項６に記載の増幅回路と、該増幅回路を介して前記送信回路に接続されたアンテナとを備えることを特徴とする送信装置。
【請求項８】
送信回路と、請求項６に記載の増幅回路と、該増幅回路を介して前記送信回路に接続されたアンテナと、該アンテナに接続された受信回路とを備えることを特徴とする通信装置。
【発明の詳細な説明】
【技術分野】
【０００１】
本発明は、入力信号の振幅の変化に対応することが可能なフィードバック回路を有する信号変換回路ならびにそれを用いた増幅回路ならびにそれを用いた送信装置および通信装置に関するものである。
【背景技術】
【０００２】
従来、利得を自動的に制御する増幅回路等において、増幅回路からの出力信号を利用して利得を制御するフィードバック回路が用いられている（例えば、特許文献１を参照。）。
【先行技術文献】
【特許文献】
【０００３】
【特許文献１】特開２００３−２１８６５１号公報
【発明の概要】
【発明が解決しようとする課題】
【０００４】
しかしながら、上述した従来のフィードバック回路は、安定化するために低域通過フィルタ等の積分回路を有する必要があるが、積分回路を有することによって、入力信号の振幅が非常に小さくなったときに対応できなくなることが本発明者の検討で明らかになった。
【０００５】
本発明はこのような従来の技術における問題点に鑑みて案出されたものであり、その目的は、入力信号の振幅の変化に対応することが可能なフィードバック回路を有する信号変換回路ならびにそれを用いた増幅回路ならびにそれを用いた送信装置および通信装置を提供することにある。
【課題を解決するための手段】
【０００６】
本発明の第１の信号変換回路は、第１の可変利得増幅器を少なくとも有しており、入力された第１信号の振幅および位相を変化させた第２信号を出力する第１回路と、前記第１信号および前記第２信号が入力されて、第３信号と、該第３信号の振幅の変化に応じて値が変化する第４信号とを出力する第２回路と、前記第４信号が入力されて、前記第４信号の時間に対する変化率よりも時間に対する変化率が大きい信号であるとともに、前記第１の可変利得増幅器の利得を制御するための信号である第５信号を出力する第３回路とを少なくとも有することを特徴とするものである。
【０００７】
本発明の第２の信号変換回路は、前記第１の信号変換回路において、前記第３回路は、入力端子および制御端子の両方に前記第４信号が入力されて、出力端子から前記第５信号を出力する第２の可変利得増幅器を少なくとも有することを特徴とするものである。
【０００８】
本発明の第３の信号変換回路は、前記第２の信号変換回路において、前記第３回路は、前記第１信号および前記第４信号が入力されて、前記第１信号の時間に対する変化率と前記第４信号の時間に対する変化率とを比較する比較回路をさらに有することを特徴とするものである。
【０００９】
本発明の第４の信号変換回路は、前記第３の信号変換回路において、前記第３回路は、前記比較回路からの情報に基づいて、前記第１信号の時間に対する変化率が、前記第４信号の時間に対する変化率よりも大きいときに、前記第２の可変利得増幅器の前記制御端子
に入力される信号を、前記第１信号を微分検波して２乗して９０°位相をずらした信号によって前記第４信号を除算して得られる第６信号に切り替えるスイッチ回路をさらに有することを特徴とするものである。
【００１０】
本発明の第５の信号変換回路は、前記第１の信号変換回路において、前記第１回路は、前記第１信号の振幅の増減と逆に増減する振幅を有するとともに前記第１信号よりも９０°だけ位相が進んでいる前記第２信号と、該第２信号と同じ振幅を有するとともに、前記第１信号よりも９０°だけ位相が遅れている第７信号とを出力し、前記第２回路は、前記第１信号，前記第２信号および前記第７信号が入力されて、略一定の振幅を有するとともに前記第１信号の振幅に応じて互いの位相差が変化する一対の信号である、前記第３信号と第８信号とを出力することを特徴とするものである。
【００１１】
本発明の増幅回路は、前記第５の信号変換回路と、前記第３信号および前記第８信号が入力されて、前記第１信号を増幅した信号と等価である第９信号を出力する第４回路とを少なくとも有することを特徴とするものである。
【００１２】
本発明の送信装置は、送信回路と、前記増幅回路と、該増幅回路を介して前記送信回路に接続されたアンテナとを備えることを特徴とするものである。
【００１３】
本発明の通信装置は、送信回路と、前記増幅回路と、該増幅回路を介して前記送信回路に接続されたアンテナと、該アンテナに接続された受信回路とを備えることを特徴とするものである。
【発明の効果】
【００１４】
本発明の信号変換回路によれば、入力信号の振幅の変化に対応することが可能な信号変換回路を得ることができる。
【００１５】
本発明の増幅回路によれば、入力信号の振幅の変化に対応することが可能な増幅回路を得ることができる。
【００１６】
本発明の送信装置によれば、送信信号の振幅の変化に対応することが可能な送信装置を得ることができる。
【００１７】
本発明の通信装置によれば、送信信号の振幅の変化に対応することが可能な通信装置を得ることができる。
【図面の簡単な説明】
【００１８】
【図１】本発明の実施の形態の第１の例の信号変換回路を示すブロック図である。
【図２】図１における第３回路の一例を示すブロック図である。
【図３】図２における微分回路の一例を示す回路図である。
【図４】図２における２乗回路の一例を示す回路図である。
【図５】図２における除算回路の一例を示す回路図である。
【図６】従来のフィードバック回路の問題点を説明するためのグラフである。
【図７】本発明の実施の形態の第２の例の増幅回路を示すブロック図である。
【図８】本発明の実施の形態の第３の例の送信装置を示すブロック図である。
【図９】本発明の実施の形態の第４の例の通信装置を示すブロック図である。
【発明を実施するための形態】
【００１９】
以下、本発明の信号変換回路を添付の図面を参照しつつ詳細に説明する。
【００２０】
（実施の形態の第１の例）
図１は本発明の実施の形態の第１の例の信号変換回路を示す回路図である。図２は図１における第３回路の一例を示すブロック図である。図３は図２における微分回路の一例を示す回路図である。図４は、図２における２乗回路の一例を示す回路図である。図５は、図２における除算回路の一例を示す回路図である。
【００２１】
本例の信号変換回路３０は、図１に示すように、第１回路１５と、第２回路１６と、第３回路２０と、端子１と、端子２と、端子３とを備えている。端子１には、図示せぬ外部回路から第１信号Ｓ１が入力される。
【００２２】
第１回路１５は、９０°移相器６と、第１の可変利得増幅器７と、１８０°移相器８とを有しており、端子１と、第２回路１６とに接続されている。そして、端子１から入力された第１信号Ｓ１は、９０°移相器で位相が９０°シフトした後に、第１の可変利得増幅器７で増幅されて、第２信号Ｓ２として第２回路１６に出力される。また、第１の可変利得増幅器７で増幅された信号は、１８０°移相器８で位相がシフトされて、第７信号Ｓ７として第２回路１６へ出力される。すなわち、第１回路１５は、第１信号Ｓ１の振幅の増減と逆に増減する振幅を有するとともに第１信号Ｓ１よりも９０°だけ位相が進んでいる第２信号Ｓ２と、第２信号Ｓ２と同じ振幅を有するとともに、第１信号Ｓ１よりも９０°だけ位相が遅れている第７信号Ｓ７とを第２回路１６へ出力する。このように、第２信号Ｓ２および第７信号Ｓ７は、入力された第１信号Ｓ１の振幅および位相を変化させた信号である。
【００２３】
第２回路１６は、加算器４と、加算器５と、ミキサ９と、ミキサ１０と、加算器１１と、減算器１２と、低域通過フィルタ１３とを備えている。
【００２４】
加算器４は、入力された第１信号Ｓ１と第２信号Ｓ２とをベクトル加算して第３信号Ｓ３を生成し、第３信号Ｓ３を端子２へ出力する。ミキサ９は、２つの入力端子の両方に第３信号Ｓ３が入力されて、第３信号Ｓ３の振幅に応じた直流電圧を有する信号を加算器１１へ出力する。すなわち、ミキサ９は検波器として機能する。
【００２５】
加算器５は、入力された第１信号Ｓ１と第７信号Ｓ７とをベクトル加算して第８信号Ｓ８を生成し、第８信号Ｓ８を端子３へ出力する。ミキサ１０は、２つの入力端子の両方に第８信号Ｓ８が入力されて、第８信号Ｓ８の振幅に応じた直流電圧を有する信号を加算器１１へ出力する。すなわち、ミキサ１０は検波器として機能する。
【００２６】
加算器１１は、入力されたミキサ９，１０からの信号を加算して減算器１２へ出力する。減算器１２は、加算器１１から入力された信号を、別途入力された基準となる直流電圧を有する第１０信号Ｓ１０から減算して、低域通過フィルタ１３へ出力する。低域通過フィルタ１３は、減算器１３から入力された信号の高周波成分を減衰させて第４信号Ｓ４を第３回路２０へ出力する。
【００２７】
第２信号Ｓ２および第７信号Ｓ７は振幅が等しい信号であるため、第３信号Ｓ３および第８信号Ｓ８も振幅が等しい信号である。また、第４信号Ｓ４は、第３信号Ｓ３および第８信号Ｓ８の振幅の増減と逆に増減する信号であり、第１信号Ｓ１の振幅の増減と逆に増減する信号である。このように、第２回路１６は、第１信号Ｓ１，第２信号Ｓ２および第７信号Ｓ７が入力されて、第３信号Ｓ３および第８信号Ｓ８と、第３信号Ｓ３および第８信号Ｓ８の振幅の変化に応じて値が変化する第４信号Ｓ４とを出力する。
【００２８】
第３回路２０は、端子２１，２２，２３を備えている。端子２１は端子１に接続されており、第１信号Ｓ１が端子２１へ入力される。端子２２は第２回路１６の低域通過フィル
タ１３に接続されており、第４信号Ｓ４が端子２２に入力される。端子２３は第１回路１５の第１の可変利得増幅器７に接続されており、端子２３から出力された第５信号Ｓ５が第１の可変利得増幅器７の図示せぬ制御端子に入力される。
【００２９】
また、第３回路２０は、図２に示すように、端子２１，２２，２３と、ミキサ２４と、微分回路２５ａ，２５ｂと、２乗回路２６ａ，２６ｂと、９０°移相器２７と、除算回路２８と、第２の可変利得増幅器２９と、比較器６０と、スイッチ回路６４とを備えている。
【００３０】
ミキサ２４は、端子２１に接続されており、２つの入力端子の両方に第１信号Ｓ１が入力されて、第１信号Ｓ１の振幅に応じた直流電圧を有する信号を微分回路２５ａの端子４１へ出力する。すなわち、ミキサ２４は検波器として機能する。微分回路２５ａは、ミキサ２４から入力された信号を微分して、端子４２から２乗回路２６ａの端子５１へ出力する。２乗回路２６ａは、微分回路２５ａから入力された信号を２乗して、端子５２から比較器６０の端子６２および９０°移相器２７へ出力する。
【００３１】
９０°移相器２７は、２乗回路２６ａから入力された信号の位相を９０°シフトして除算回路２８の端子７６へ出力する。除算回路２８の端子７１には、端子２２から第４信号Ｓ４が入力される。除算回路２８は、９０°移相器２７から入力された信号で第４信号Ｓ４を除算した信号を端子７２からスイッチ回路６４の端子６６へ出力する。また、スイッチ回路６４の端子６５には、端子２２から第４信号Ｓ４が入力される。
【００３２】
スイッチ回路６４は、除算回路２８から入力された信号と第４信号Ｓ４との一方を端子６７から第２の可変利得増幅器２９の制御端子９２へ出力する。また、第２の可変利得増幅器２９の入力端子９１は端子２２に接続されており、第４信号Ｓ４が端子９１に入力される。
【００３３】
第２の可変利得増幅器２９は、端子９１に入力された第４信号Ｓ４を増幅した第５信号Ｓ５を端子２３へ出力する。このとき、第４信号Ｓ４を増幅するときの利得は、制御端子９２に入力された信号に応じて変化する。
【００３４】
微分回路２５ｂは、端子４１に入力された第４信号Ｓ４を微分して、端子４２から２乗回路２６ｂの端子５１へ出力する。２乗回路２６ｂは、端子５１に入力された信号を２乗して、端子５２から比較器６０の端子６１へ出力する。比較器６０は、２乗回路２６ａから出力された信号と、２乗回路２６ｂから出力された信号とを比較し、その結果に基づいて、スイッチ回路６４を切り替える信号を端子６３から出力する。このとき、２乗回路２６ｂから出力された信号の方が大きいときには、第４信号Ｓ４が端子６７から出力されるようにスイッチ回路６４を切り替え、２乗回路２６ａから出力された信号の方が大きいときには、除算回路２８から入力された信号が端子６７から出力されるようにスイッチ回路６４を切り替える。すなわち、スイッチ回路６４は、比較回路６９からの情報に基づいて、第１信号Ｓ１の時間に対する変化率が、第４信号Ｓ４の時間に対する変化率よりも大きいときに、第２の可変利得増幅器２９の制御端子９２に入力される信号を、第１信号Ｓ１を微分検波して２乗して９０°位相をずらした信号によって第４信号Ｓ４を除算して得られる第６信号Ｓ６に切り替える。
【００３５】
このようにして、ミキサ２４と、微分回路２５ａ，２５ｂと、２乗回路２６ａ，２６ｂと、比較器６０とによって、比較回路６９が構成されている。比較回路６９は、第１信号Ｓ１および第４信号Ｓ４が入力されて、第１信号Ｓ１の時間に対する変化率と第４信号Ｓ４の時間に対する変化率とを比較する。
【００３６】
微分回路２５ａ，２５ｂは、例えば、図３に示すように、端子４１，４２間を接続するキャパシタ４３と、端子４２とグランド電位との間を接続する抵抗４４とを用いて構成することができる。このような構成を備える微分回路２５ａ，２５ｂは、端子４１に入力された信号を時間で微分した信号を端子４２から出力することができる。
【００３７】
２乗回路２６ａ，２６ｂは、例えば、図４に示すように、オペアンプ５３と、可変抵抗５４と、抵抗５５とを用いて構成することができる。図４に示す回路において、可変抵抗５４の抵抗値Ｒ１を、端子５１に入力される信号の電圧Ｖ１に応じて変化させて、Ｒ１＝ｋ／Ｖ１（ｋは比例定数）となるようにする。これにより、端子５１に入力された信号の電圧の２乗に比例した電圧を有する信号を端子５２から出力することができる。
【００３８】
除算回路２８は、例えば、図５に示すように、オペアンプ７３と、抵抗７４と、可変抵抗７５とを用いて構成することができる。図５に示す回路において、
可変抵抗７５の抵抗値Ｒ２を、端子７６に入力される信号の電圧Ｖ２に応じて変化させて、Ｒ２＝ｋ／Ｖ２（ｋは比例定数）となるようにする。これにより、端子７１に入力された信号の電圧をＶ３とすると、Ｖ３／Ｖ２に比例した電圧を有する信号を端子７２から出力することができる。
【００３９】
図２に示す第３回路２０において、第４信号Ｓ４の時間に対する変化率が第１信号Ｓ１の時間に対する変化率よりも大きいときは、第２の可変利得増幅器２９は、入力端子９１および制御端子９２の両方に第４信号Ｓ４が入力されて、出力端子から第５信号Ｓ５を出力する。これにより、第５信号Ｓ５の時間に対する変化率を第４信号Ｓ４の時間に対する変化率よりも大きくすることができる。このようにして、第３回路２０は、第４信号Ｓ４が入力されて、第４信号Ｓ４の時間に対する変化率よりも時間に対する変化率が大きい信号であるとともに、第１の可変利得増幅器７の利得を制御するための信号である第５信号Ｓ５を出力する。
【００４０】
第５信号Ｓ５は、第４信号Ｓ４と同様に、第１信号Ｓ１および第３信号Ｓ３の増減と逆に増減する信号である。この第５信号Ｓ５を用いて第１の可変利得増幅器７の利得を制御するため、第２信号Ｓ２および第７信号Ｓ７も、第１信号Ｓ１および第３信号Ｓ３の増減と逆に増減する信号になる。より詳細には、第１信号Ｓ１の振幅をＸとし、所定の一定振幅をＡとすると、第２信号Ｓ２および第７信号Ｓ７の振幅Ｙを、Ｙ２＝Ａ２−Ｘ２となるようにする。これにより、第３信号Ｓ３および第８信号Ｓ８は、略一定の振幅を有するとともに第１信号Ｓ１の振幅に応じて互いの位相差が変化する一対の定包絡線信号となる。
【００４１】
図６は、第３回路２０を有さない従来の信号変換回路における問題を説明するためのグラフである。グラフにおいて、横軸は時間を示し、縦軸は電圧を示す。一点鎖線で示した第１信号Ｓ１が信号変換回路３０に入力される場合、第３信号Ｓ３および第８信号Ｓ８を定包絡線信号にするためには、実線で示すような信号で第１の可変利得増幅器７の利得を制御する必要がある。ところが、第３回路２０を有さない従来の信号変換回路では、フィードバック制御を安定させるために必要な低域通過フィルタ１３の影響により、低域通過フィルタ１３から出力される第４信号Ｓ４は、破線のように訛ってしまう。すなわち、第４信号Ｓ４の時間に対する変化率が、第１信号Ｓ１の時間に対する変化率よりも小さくなってしまう。これにより、特に第１信号Ｓ１の振幅が非常に小さいときに、第１の可変利得増幅器７の利得が不足することによって、第３信号Ｓ３および第８信号Ｓ８が定包絡線信号にならなくなるという問題が発生する。
【００４２】
本例の信号変換回路３０は、第４信号Ｓ４が入力されて、第４信号Ｓ４の時間に対する変化率よりも時間に対する変化率が大きい信号であるとともに、第１の可変利得増幅器７の利得を制御するための信号である第５信号Ｓ５を出力する第３回路２０を有するので、
第１信号Ｓ１の振幅が非常に小さいときに、第１の可変利得増幅器７の利得が不足するのを低減することができる。
【００４３】
また、本例の信号変換回路３０において、第３回路２０は、第１信号Ｓ１の時間に対する変化率が、第４信号Ｓ４の時間に対する変化率よりも大きいときに、第１信号Ｓ１を微分検波して２乗して９０°位相をずらした信号によって第４信号Ｓ４を除算して得られる第６信号Ｓ６を、第４信号Ｓ４の代わりに第２の可変利得増幅器２９の制御端子９２に入力する。これにより、第４信号Ｓ４の時間に対する変化率が第１信号Ｓ１の時間に対する変化率に対して非常に小さいときに、第１の可変利得増幅器７の利得の不足をさらに低減することができる。
【００４４】
本例の信号変換回路３０において、移相器６，８としては、例えば、分布定数線路などの既知の移相器を使用することができる。また、比較器６０としては、既知の種々の比較回路を使用することができる。
【００４５】
（実施の形態の第２の例）
図７は、本発明の実施の形態の第２の例の増幅回路を示す回路図である。本例の増幅回路８０は、図７に示すように、図１に示した信号変換回路３０と、第４回路３４とを備えている。第４回路３４は、増幅器３１，３２と、加算器３３とを備えている。
【００４６】
信号変換回路３０は、包絡線変動を有する第１信号Ｓ１が入力されて、定包絡線信号である第３信号Ｓ３および第８信号Ｓ８を、第４回路３４の増幅器３１および増幅器３２に出力する。増幅器３１は、入力された第３信号Ｓ３を増幅して加算器３３に出力する。増幅器３２は、入力された第８信号Ｓ８を増幅して加算器３３に出力する。増幅器３１，３２は、例えば非線形増幅器のような高効率の増幅器で構成されており、第３信号Ｓ３および第８信号Ｓ８を高効率で増幅することができる。加算器３３は、増幅器３１および増幅器３２から入力された信号をベクトル加算することによって第９信号Ｓ９を生成して出力する。
【００４７】
このような構成を備える本例の増幅回路８０は、包絡線変動を有する第１信号Ｓ１を２つの定包絡線信号である第３信号Ｓ３および第８信号Ｓ８に変換し、それぞれを高効率で非線形増幅した後にベクトル加算することによって、第１信号Ｓ１を増幅した信号と等価である第９信号Ｓ９を出力することができる。これにより、包絡線変動を有する信号を高効率で増幅することができる。
【００４８】
また、本例の増幅回路８０は、入力された信号の振幅が小さいときにも定包絡線信号を生成可能な信号変換回路３０を用いて定包絡線信号を生成することから、入力信号の振幅が小さいときにも高効率で線形増幅することができる。
【００４９】
（実施の形態の第３の例）
図８は、本発明の実施の形態の第３の例の送信装置を示すブロック図である。本例の送信装置は、図８に示すように、送信回路８１と、増幅回路８０と、増幅回路８０を介して送信回路８１に接続されたアンテナ８２とを備えている。このような構成を有する本例の送信装置によれば、入力された信号の振幅が小さいときにも高効率の線形増幅が可能な増幅回路８０で送信信号を増幅することができるので、消費電力が小さい送信装置を得ることができる。
【００５０】
（実施の形態の第４の例）
図９は、本発明の実施の形態の第４の例の通信装置を示すブロック図である。本例の通信装置は、図９に示すように、送信回路８１と、増幅回路８０と、増幅回路８０を介して
送信回路８１に接続されたアンテナ８２と、アンテナ８２に接続された受信回路８３とを備えている。また、アンテナ８２と、増幅回路８０および受信回路８３との間にはアンテナ共用回路８４が挿入されている。すなわち、増幅回路８０および受信回路８３は、アンテナ共用回路８４を介してアンテナ８２に接続されている。このような構成を有する本例の通信装置によれば、入力された信号の振幅が小さいときにも高効率の線形増幅が可能な増幅回路８０で送信信号を増幅することができるので、消費電力が小さい通信装置を得ることができる。
【００５１】
（変形例）
本発明は上述した実施の形態の例に限定されるものではなく、本発明の要旨を逸脱しない範囲において種々の変更，改良が可能である。
【００５２】
例えば、前述した実施の形態の第１の例においては、信号変換回路３０が一対の定包絡線信号を出力する回路として機能する例を示したが、これに限定されるものではない。例えば、１つの定包絡線信号を出力するような信号変換回路３０でもよく、他の機能を有する信号変換回路３０であってもよい。フィードバック制御を用いる種々の回路に本発明を適用することができる。
【００５３】
また、前述した実施の形態の第１の例においては、第１信号Ｓ１の時間に対する変化率が、第４信号Ｓ４の時間に対する変化率よりも大きいときに、第１信号Ｓ１を微分検波して２乗して９０°位相をずらした信号によって第４信号Ｓ４を除算して得られる第６信号Ｓ６を、第４信号Ｓ４の代わりに第２の可変利得増幅器２９の制御端子９２に入力する例を示したが、これに限定されるものではない。第６信号Ｓ６の時間に対する変化率を第４信号Ｓ４の時間に対する変化率よりも大きくする種々の構成を用いることができる。
【００５４】
また、第１信号Ｓ１の時間に対する変化率と第４信号Ｓ４の時間に対する変化率との大小関係にかかわらず、常に第４信号Ｓ４が第２の可変利得増幅器２９の制御端子９２に入力されるようにしても構わない。このような場合には、例えば、図２に示す第３回路２０を、第２の可変利得増幅器２９のみで構成することができる。このときは、第２の可変利得増幅器２９の入力端子９１および制御端子９２の両方を端子２２に接続し、第２の可変利得増幅器２９の出力端子９３を端子２３に接続する。
【符号の説明】
【００５５】
７：第１の可変利得増幅器
１５：第１回路
１６：第２回路
２０：第３回路
２９：第２の可変利得増幅器
３０：信号変換回路
３４：第４回路
６９：比較回路
８０：増幅回路
８１：送信回路
８２：アンテナ
８３：受信回路
Ｓ１：第１信号
Ｓ２：第２信号
Ｓ３：第３信号
Ｓ４：第４信号
Ｓ５：第５信号
Ｓ６：第６信号
Ｓ７：第７信号
Ｓ８：第８信号
Ｓ９：第９信号
【図１】
2013012838.tif 000003
【図２】
2013012838.tif 000004
【図３】
2013012838.tif 000005
【図４】
2013012838.tif 000006
【図５】
2013012838.tif 000007
【図６】
2013012838.tif 000008
【図７】
2013012838.tif 000009
【図８】
2013012838.tif 000010
【図９】
2013012838.tif 000011